(57)【要約】【課題】小売店やＷＥＢショップで安価ですぐに製作できる天然宝石のオーダーメイドジュエリーを製作販売する。【解決手段】実店舗やＷＥＢショップでオーダーメイドジュエリーの依頼を引き受ける際、あらかじめ用意された天然宝石と、天然宝石を設置するスペースを設けた貴金属製かあるいは金属製の指輪やペンダント、ブレスレット等の装飾品枠を実店舗に陳列、ＷＥＢショップには画像掲載し、客に天然宝石と装飾品枠を選択してもらい、その天然宝石と装飾品枠を紫外線硬化樹脂接着剤を使用し、少なくとも１０００ミリワット／平方センチメートル以上の出力のある紫外線照射装置を用いて、天然宝石と装飾品枠を紫外線硬化樹脂接着剤で短時間で接着固定してなる完成品を、短時間で客に提供する。【選択図】なし【特許請求の範囲】
【請求項１】
実店舗やＷＥＢショップでオーダーメイドジュエリーの依頼を引き受ける際、あらかじめ用意された天然宝石と、天然宝石を設置するスペースを設けた貴金属製かあるいは金属製の指輪やペンダント、ブレスレット等の装飾品枠を実店舗に陳列、ＷＥＢショップには画像掲載し、客に天然宝石と装飾品枠を選択してもらい、その天然宝石と装飾品枠を紫外線硬化樹脂接着剤を使用し、少なくとも１０００ミリワット／平方センチメートル以上の出力のある紫外線照射装置を用いて、天然宝石と装飾品枠を紫外線硬化樹脂接着剤で短時間で接着固定してなる完成品を、短時間で客に提供することのできる天然宝石を使用したオーダーメイドジュエリー製作販売システム。
【請求項２】
紫外線硬化樹脂接着剤が着色されている請求項１に記載の天然宝石を使用したオーダーメイドジュエリー製作販売システム。
【請求項３】
貴金属製かあるいは金属製の指輪やペンダント、ブレスレット等の装飾品枠に設置する宝石が飾りが、宝石を模造したものである請求項１に記載のオーダーメイドジュエリー製作販売システム。
【発明の詳細な説明】
【技術分野】
【０００１】
この発明は、ジュエリーやアクセサリーを販売する実店舗やＷＥＢショップにおいて、
多数の天然宝石または宝石の類似品と、多数の指輪やペンダント、ブレスレット等の貴金属枠のそれぞれを来店した客に選択してもらい、店舗側はその場で客の選択した宝石と枠を組み立て、時間をかけずに完成品オーダーメイドジュエリーとして客に手渡すことができる極めて短時間でオーダーメイドジュエリーを製作し販売するシステムに関するものである。
【背景技術】
【０００２】
これまでの実店舗やＷＥＢショップにおいて、客が自由な選択をもって購入できるオーダーメイドジュエリーは、その製作時間に数週間から数か月を要し、ジュエリー原型製作から完成品に至るまでの経費は数万円から数十万円となっている。
【０００３】
したがって、長期間の製作時間が必要で購入単価が市販品と比較して大幅に割高となる現状のオーダーメイドジュエリーは、客からの不満が多い。
【０００４】
さらに、現状のオーダーメイドジュエリーの製作方法では、客と店舗側で何度も打ち合わせや連絡をする必要があり、客、店舗ともに負担が大きいという問題がある。
【０００５】
現在の宝飾市場では、売れ筋の価格帯が比較的低価格でありながらも、ジュエリー購入予定者はデザインのオリジナル性を好む傾向が強いので、安価で迅速に完成するオーダーメイドジュエリーが要求されている。
【先行技術文献】
【特許文献】
【０００６】
実用新案出願２００７−５９４２
【発明の概要】
【発明が解決しようとする課題】
【０００７】
この発明は前述した問題点を解決するものであり、低価格で購入者にその場ですぐに手渡せるオーダーメイドジュエリーを製作するシステムを提供するものである。
【課題を解決するための手段】
【０００８】
以上の課題を解決するため、実店舗やＷＥＢショップではあらかじめ多数の天然宝石と、金属や貴金属で作られた天然宝石の入るスペースを有した多数の指輪やペンダント、ブレスレット等の本体を陳列しておき、客に天然宝石と本体との組み合わせを選択してもらい、本体に設けられたスペースに天然宝石と、透明もしくは半透明の紫外線硬化樹脂接着剤を設置した後、高出力の紫外線照射装置で固定してオーダーメイドジュエリーを完成させる。
【０００９】
この発明では、数十秒でオーダーメイドジュエリーが完成する。
【００１０】
この発明では、安価なオーダーメイドジュエリーが製作できる。
【００１１】
この発明では、短時間で客にオーダーメイドジュエリーを手渡すことができるので、客、店舗ともに時間的な負担を感じることはない。
【００１２】
この発明では、客が自由自在にジュエリーの構成をすることができるので、満足度は非常に高い。
【発明の効果】
【００１３】
この発明によれば、客が好みの天然宝石と身に着けたいジュエリーの本体を自由自在に組み合わせることができるので、非常に高い満足度を得られる商品提供ができるとともに、店舗は時間的負担、コスト的負担を最小限にオーダーメイドジュエリーを提供できるようになった。
【発明を実施するための形態】
【００１４】
この発明は、実店舗やＷＥＢショップがあらかじめ多数の天然宝石と、金属や貴金属で作られた天然宝石の入るスペースを有した多数の指輪やペンダント、ブレスレット等の本体を陳列しておき、客に好みで天然宝石と本体を選んでもらい、その後に紫外線硬化樹脂接着材と紫外線照射装置を用いてオーダーメイドジュエリーを製作、提供するものである。
【００１５】
まず店舗側は、多数の天然宝石と金属や貴金属で作られた天然宝石の入るスペースを有した多数の指輪やペンダント、ブレスレット等の本体を陳列しておき、客に自由自在に組み合わせをして、安価でオーダメイドジュエリーができることを告げる。
【００１６】
次に、客に天然宝石と本体を選択してもらい、実際に本体に天然宝石を仮設置して出来上がりの状態を確認してもらう。
【００１７】
そして、店舗側は客の選択した天然宝石と本体を、紫外線硬化樹脂接着剤と紫外線照射装置を用いて完成品にしていく。
【００１８】
金属や貴金属で作られた天然宝石の入るスペースを有した本体のスペース部分に紫外線硬化樹脂接着剤を必要量入れ、その後に天然宝石を客の指定通り設置し、その状態で４０００ミリワット／平方センチメートル程度の出力のある紫外線を出力できる紫外線照射装置によって紫外線硬化樹脂接着剤を瞬時に硬化させる。
【００１９】
４０００ミリワット／平方センチメートルの紫外線を照射させる理由は、接着剤を瞬間的に硬化させたいからである。
【００２０】
接着剤を瞬間的硬化させることによって、天然宝石が指定設置位置よりずれたり、曲がったりすることを防ぐことができる。
【００２１】
紫外線照射装置を使用する場合は、作業者は紫外線保護メガネ、紫外線保護手袋等を装着して紫外線が目や肌に直接当たらないようにする。
【００２２】
このようにして、客が選択し構成したオーダーメイドジュエリーは、わずか数十秒で完成品となり、客に手渡すことができるものである。
【００２３】
［実施例１］
まず実店舗の１平方メートルの陳列台に、５ｍｍ程度の大きさの塊状の天然宝石を種類別に５０個ほど陳列し、その脇に天然宝石が載るスペースを有した指輪をデザイン別、サイズ別に２０本を陳列した。
【００２４】
次に陳列された各種天然宝石、指輪をオーダーメイドジュエリーを希望する客に選別してもらい、好みの天然宝石、好みの指輪を指定してもらった。
【００２５】
そして、客が選んだ天然宝石と指輪を確認し、どのようにセッティングするかを決定した。
【００２６】
セッティングの位置、方向などが決定したら、指輪の天然宝石が載るスペースに３ミリ立方メートルの紫外線硬化樹脂接着剤を塗布し、その上に客が選んだ天然石をセットした。
【００２７】
客の指定した通りにセッティングされた天然宝石の載った指輪は、ピンセットや治具などを使用して、そのままの位置を維持させながら、４０００ミリワット／平方センチメートルの照射強度を持つ紫外線照射装置で１秒間紫外線を照射した。
【００２８】
４０００ミリワット／平方センチメートルの紫外線照射装置で紫外線を照射した紫外線硬化樹脂接着剤は十分な強度で硬化したので、指で動かそうとしても全く動かいないものであった。
【００２９】
出来上がった天然宝石がついた指輪は、仕上がりもとてもきれいで客は満足してくれた。
【００３０】
客が天然宝石と指輪を選んでから、完成品が出来上がるまでの時間は約１分であった。
【産業上の利用可能性】
【００３１】
この発明の、客の好みで自由自在に、短時間で天然石のオーダーメイドジュエリーを製作できるシステムは、客、店舗ともに時間的負担が少なく、そのためコストも抑えることができることから、安価なオーダーメイドジュエリーを製作、提供するものとしては大変優れたものであるとともに、これまで客の要望があっても高コストでしか製作できなかったオーダーメイドジュエリーの市場を活性化できるものである。